【事件の表示】
　特願２００５−１２４９７３「野菜収穫機」拒絶査定不服審判事件〔平成１８年１１月　２日出願公開、特開２００６−２９６３３２〕について、次のとおり審決する。
【結　論】
　本件審判の請求は、成り立たない。
【理　由】
 第１　手続の経緯 
　本願は，平成１７年４月２２日に出願され，平成２２年１２月１５日付けで拒絶査定がなされ，これに対し，平成２３年３月７日付けで拒絶査定不服審判の請求がなされると共に，同時に手続補正がなされた。
　その後，平成２３年７月１９日付けで，審判請求人に前置報告書の内容を示し意見を求めるための審尋を行ったところ，同年９月１６日付けで回答書が提出されたものである。
　
第２　平成２３年３月７日付けの手続補正についての補正の却下の決定
　
［補正の却下の決定の結論］
　平成２３年３月７日付けの手続補正（以下，「本件補正」という。）を却下する。
　
［理由］
１　補正の内容
　本件補正には，特許請求の範囲を次のように補正しようとする補正事項が含まれる（補正箇所に下線を付与した）。
　
（補正前：平成２２年６月１８日付けの手続補正により補正された特許請求の範囲）
「【請求項１】
　機体下部に配設するクローラ走行装置（２）と、機体最前部に配設される掻き込み部（３）と、該掻き込み部（３）の後方に連設される野菜搬送部（４）と、前記クローラ走行装置（２）の後部上方に配設されるコンテナ搬送部（７）と、操作部（９０）とを備えて、前記クローラ走行装置（２）を駆動して機体を進行させながら野菜を収穫する自走式の野菜収穫機であって、前記野菜搬送部（４）を構成する搬送装置（４０）は、左右の搬送チェーン（４３・４３）間に搬送棒（４４・４５）を横架して上面を野菜搬送面（４６）とし、該搬送チェーン（４３）を、前側の従動スプロケットと後側の駆動スプロケット（５１）の間に巻回して斜め上方に搬送駆動するように構成し、該前後の従動スプロケットと駆動スプロケット（５１）との間に、該搬送チェーン（４３）を緊張するテンションローラー（５２）を配置し、該テンションローラー（５２）の位置は、前記搬送装置（４０）の野菜搬送面（４６）と反対側の非搬送面側であって、該駆動スプロケット（５１）の近傍で、かつ、該駆動スプロケット（５１）の斜め前下方に配置し、前記搬送チェーン（４３）の後下部が、後端から水平若しくは前上方へ延びるように緊張させ、前記搬送装置（４０）の後端下方に、該搬送装置（４０）の後端より落下する野菜をコンテナ搬送部（７）へガイドする落下シュート（８５）を配置し、該落下シュート（８５）の前上端は、前記搬送装置（４０）の後端より下ろした垂線（Ｈ）よりも前方に位置し、該落下シュート（８５）の前端と野菜搬送面（４６）との間にテンションローラー（５２）が位置するように配置したことを特徴とする野菜収穫機。」を，
（補正後）
「【請求項１】
　機体下部に配設するクローラ走行装置（２）と、機体最前部に配設される掻き込み部（３）と、該掻き込み部（３）の後方に連設される野菜搬送部（４）と、前記クローラ走行装置（２）の後部上方に配設されるコンテナ搬送部（７）と、操作部（９０）とを備えて、前記クローラ走行装置（２）を駆動して機体を進行させながら野菜を収穫する自走式の野菜収穫機であって、前記野菜搬送部（４）を構成する搬送装置（４０）は、左右の搬送チェーン（４３・４３）間に搬送棒（４４・４５）を横架して上面を野菜搬送面（４６）とし、該搬送チェーン（４３）を、前側の従動スプロケットと後側の駆動スプロケット（５１）の間に巻回して斜め上方に搬送駆動するように構成し、該前後の従動スプロケットと駆動スプロケット（５１）との間に、該搬送チェーン（４３）を緊張するテンションローラー（５２）を配置し、該テンションローラー（５２）の位置は、前記搬送装置（４０）の野菜搬送面（４６）と反対側の非搬送面側であって、該駆動スプロケット（５１）の近傍で、かつ、該駆動スプロケット（５１）の斜め前下方に配置し、前記搬送チェーン（４３）の後下部が、後端から水平若しくは前上方へ延びるように緊張させ、前記搬送装置（４０）の後端下方に、該搬送装置（４０）の後端より落下する野菜をコンテナ搬送部（７）へガイドする落下シュート（８５）を配置し、該落下シュート（８５）の前上端は、前記搬送装置（４０）の後端より下ろした垂線（Ｈ）よりも前方に位置し、該落下シュート（８５）の前端と野菜搬送面（４６）との間にテンションローラー（５２）が位置するように配置し、
該駆動スプロケット（５１）の下部において、前記搬送チェーン（４３）を落下方向から逃げる方向へ回動させ、前方へ延びる搬送チェーン（４３）と、前記駆動スプロケット（５１）と従動スプロケットの下側接線を結ぶ線との間の上側に、角度（α）を構成し、該搬送チェーン（４３）と落下シュート（８５）の間に構成される三角形状の空間（Ａ）を構成し、該駆動スプロケット（５１）の下部と落下シュート（８５）の前部との間の距離（Ｂ）を、搬送棒（４４・４５）と落下シュート（８５）との間に収穫物が詰まることのない距離とした
　
２　補正の適否の判断（補正の目的の適否）
（１）上記補正事項において，「駆動スプロケット（５１）の下部において、搬送チェーン（４３）を落下方向から逃げる方向へ回動させ、前方へ延びる搬送チェーン（４３）と、前記駆動スプロケット（５１）と従動スプロケットの下側接線を結ぶ線との間の上側に、角度（α）を構成し」とは，「前後の従動スプロケットと駆動スプロケット（５１）との間に、該搬送チェーン（４３）を緊張するテンションローラー（５２）を配置し、・・・前記搬送チェーン（４３）の後下部が、後端から水平若しくは前上方へ延びるように緊張させ」た状態を表したものと認められるが，「搬送チェーン（４３）と落下シュート（８５）の間に構成される三角形状の空間（Ａ）」とは，搬送チェーン（４３）のどこと落下シュート（８５）のどこの間に形成される空間のことか不明りょうである。
　なお，本願の【図７】には，空間（Ａ）として，鎖線にて三角形が示されているが，【図７】において，搬送チェーン（４３）は，後端から水平若しくは前上方へ延びるものではなく，また，【図７】において点線で示される三角形は，搬送チェーン（４３）と落下シュート（８５）によって区切られたものではなく仮想の空間にすぎず，搬送チェーンと落下シュートの間に構成される空間の形状を客観的に特定したものとはいえない。
　
　また，上記補正事項において，「駆動スプロケット（５１）の下部と落下シュート（８５）の前部との間の距離（Ｂ）を、搬送棒（４４・４５）と落下シュート（８５）との間に収穫物が詰まることのない距離とした」とされているが，搬送チェーン（４３）のどこと落下シュート（８５）のどこの間の距離を指すのか不明瞭である。
　なお，【図７】においてＢで示される距離は，上記の仮想の三角形の垂直辺の長さを指示しており，距離を特定することができない。
　また，距離（Ｂ）が，駆動スプロケット（５１）の下部と落下シュート（８５）の前部との間の最短部分の距離を示すとしても，距離は狭くても広くても，収穫物は詰まることがないから，「収穫物が詰まることのない距離」との記載は曖昧であって，上記記載は，駆動スプロケット（５１）の下部と落下シュート（８５）の前部との間の距離を限定しているものともいえない。
　
　したがって，上記補正事項は，特許請求の範囲の減縮又は明りょうでない記載の釈明を目的とするものに該当しない。また，請求項の削除又は誤記の訂正を目的とする補正にも該当しない。
　
３　むすび
　以上のとおり，本件補正は、平成１８年法律第５５号改正附則第３条第１項によりなお従前の例によるとされる同法による改正前の特許法第１７条の２第４項の規定に違反するので、同法第１５９条第１項において読み替えて準用する同法第５３条第１項の規定により却下すべきものである。
　よって，［補正の却下の決定の結論］のとおり決定する。
　
第３　本願発明について
１　本願発明
　平成２３年３月７日付けの手続補正は上記のとおり却下されたので，本願の請求項１に係る発明は，平成２２年６月１８日付けの手続補正により補正された特許請求の範囲の請求項１に記載された事項により特定される，前記「第２　１（補正前）」に記載されたとおりのものである（以下，請求項１に係る発明を，「本願発明」という。）。
　
２　引用刊行物
（１）原査定の拒絶の理由に引用され，本願出願前に頒布された刊行物である特開２００５−２１０３８号公報（以下，「刊行物１」という。）には，図面と共に，次の事項が記載されている（下線は，当審にて付与）。
（１ａ）「【０００１】
【発明の属する技術分野】
本発明は、機体を進行させながら玉葱を収穫する自走式の玉葱収穫機に関する。」，
　
（１ｂ）「【００１５】
まず、玉葱収穫機１の全体的な構成について、図１、図２、図３を用いて説明する。
本実施例の玉葱収穫機１は、自走式の歩行型に構成されており、
クローラ走行装置２
ピックアップ部３
第１搬送部４
第２搬送部５
選別部６
コンテナ搬送部７
【００１６】
図１に示すように、玉葱収穫機１において、ピックアップ部３が機体最前部に配設され、該ピックアップ部３の下方に第１搬送部４の前部が配置され、該第１搬送部４が後上がりに傾けて連設され、該第１搬送部４の後部の下方に第２搬送部５の前端部が配置され、該第２搬送部５が前記第１搬送部４よりも傾斜角度を大きくして後上がりに傾けて連設されている。さらに、第２搬送部５の終端側の後下方に選別部６が連設されている。つまり、
玉葱の搬送経路に沿って前から順に、ピックアップ部３、第１搬送部４、第２搬送部５、選別部６が配置されて、機体前部において作業機を構成している
第１搬送部４と第２搬送部５とにより玉葱搬送部が構成され
【００１７】
機体下部には、左右一対のクローラ走行装置２が配置されて畝間を走行するようにしており、該クローラ走行装置２は
フレーム
【００１８】
フレーム上には、コンテナ搬送部７が支持されている。つまり、コンテナ搬送部７はクローラ走行装置２の上方に配置される。また、フレーム後部には、エンジン１２、ミッションケース１３等が配設され、支持されている。ミッションケース１３の上方には、
操作部８
そして、エンジン１２、ミッションケース１３、油圧ポンプ１５および操作部８は、右側の前後フレーム１１Ｒと中央の前後フレーム１１Ｍとの間に配置されている。」，
　
（１ｃ）「【００１９】
フレームの前部上には、左右の支柱１７・１７が立設され、また、右側の支柱１７の外側にチェーンケース３７が立設されている。チェーンケース３７により後述するスプロケット１２３ａ・１２５ａやチェーン１２５等を覆っている。左右の支柱１７・１７の上端部間には支持軸２０が回転可能に横架されており、該支持軸２０によって第２搬送部５の終端側が支持されている。また、
左右の支柱１７・１７の下部前方位置の第２搬送部５の下後側には、支持軸２１が横架されており、該支持軸２１の両端にアーム２２・２２の後端部が回動可能に固定されている。
　
（１ｄ）「【００２２】
前記左右中央の前後フレーム１１Ｍ上に、昇降シリンダ１８の基部が枢支されるとともに、該昇降シリンダ１８のシリンダロッドの先端が支持軸２１の左右略中央に枢結されている。
また、昇降シリンダ１８は油圧シリンダにより構成され、図示しない切換バルブを介して油圧ポンプ１５と接続されており、該油圧ポンプ１５からの圧油を切換バルブを操作する作業機昇降レバー３６の操作により
昇降シリンダ１８を伸縮させることによって、作業機を昇降する。この場合、作業機およびゲージ輪２３が一体として、支持軸２０を中心に回動する。
　
（１ｅ）「【００３８】
図１、図２、図６に示すように、
第２搬送部５は、左右一対の搬送チェーン６２・６２、複数の搬送体６３・６３・・・、駆動スプロケット６４、従動スプロケット６５、駆動軸としての支持軸２０、従動軸６７、左右一対の側板６８・６８、天板６９、ビニールガイド７０等により構成され、玉葱を後上方へ搬送するために備えられている。
第２搬送部５の上部には天板６９が配置されており、該天板６９の前端部が左右の側板６８・６８に固定されている。天板６９の後端部から後方の選別部６に向けてビニールガイド７０が垂れ下がっている。
【００３９】
搬送チェーン６２・６２の間には、複数の搬送体６３・６３・・・が取り付けられて支持されている。
そして、「コ」字状の開放された部分が玉葱の搬送方向（前側で略上方）を向くように、一方の側部部材を搬送チェーン６２に取り付けている。また、両側部部材の中途部の間には、連結部材６３ｄが底部部材と略平行に取り付けられている。連結部材６３ｄにより、枠部材６３ａ（搬送体６３）を補強するとともに、玉葱の左右方向への移動を規制し、玉葱が搬送チェーン６２・６２と接触することを防止して、玉葱の損傷の防止を図っている。なお、搬送体６３のサイズは枠部材６３ａによって定まり、収穫される玉葱のサイズに合わせて、枠部材６３ａのサイズを調節すればよい。」，
　
（１ｆ）「【００４７】
図１、図３に示すように、
選別部６は、第２搬送部５の後下方に配置され、
選別部６には選別滑り台９０が備えられており、
　
（１ｇ）「【００４８】
選別滑り台９０は上面および左側面が開放されて形成されており、この開放されている左側面にはシャッター９２が開閉（回動）可能に設けられている。シャッター９２は、該シャッター９２の左側面に付設されているレバー９２ａを操作することによって、回動軸９１を中心に回動する。そして、シャッター９２が回動することにより、選別滑り台９０の左側面の下端部分が閉じたり（図１に示す状態）、開いたりする。また、選別滑り台９０の底面９０ａは右側が持ち上げられ、左下がりに傾斜している。このため、選別滑り台９０に移送された玉葱は左側に転がる。
この選別滑り台９０の底面９０ａは、第２搬送部５から玉葱が開放される部分（終端）よりも下方に設けられており、第２搬送部５の終端で開放された玉葱は、底面９０ａに達するまでの間、自由落下する。このように、第２搬送部５の終端と、選別滑り台９０の底面９０ａとの間に、玉葱が自由落下する区間を設けているので、第２搬送部５の搬送体６３と底面９０ａとの間に、玉葱が挟まれることがなくなり、これにより、玉葱が損傷することを防止できる。
　
（１ｈ）【図１】には，前後の従動スプロケット６５と駆動スプロケット６４との間に，搬送チェーン６２を緊張するテンションローラーを配置していること，該テンションローラーの位置は，第２搬送部５の玉葱搬送側の面と反対側の非搬送面側であって，駆動スプロケット６４の近傍で，かつ，駆動スプロケット６４の斜め前下方であること，選別滑り台９０と第２搬送部５の玉葱搬送側の面との間にテンションローラーが位置するように配置されていること，搬送チェーン６２の後下部は，後端から
前下方
　
　これらの記載事項を総合すると，上記刊行物１には，次の発明が記載されていると認められる。
「フレーム下部に配設するクローラ走行装置２と，フレーム最前部に配設されるピックアップ装置３と，該ピックアップ装置３の後方に連設される玉葱搬送部と，前記クローラ走行装置２の後部上方に配設されるコンテナ搬送部７と，操作部８とを備えて，前記クローラ走行装置２を駆動して機体を進行させながら玉葱を収穫する自走式の玉葱収穫機１であって，
　前記玉葱搬送部を構成する第２搬送部５は，左右の搬送チェーン６２間に枠状の搬送体６３を横架して，上面を玉葱搬送側の面とし，該搬送チェーン６２を，前側の従動スプロケット６５と後側の駆動スプロケット６４の間に巻回して斜め上方に搬送駆動するように構成し，該前後の従動スプロケット６５と駆動スプロケット６４との間に，該搬送チェーン６２を緊張するテンションローラーを配置し，該テンションローラーの位置は，前記第２搬送部５の玉葱搬送側の面と反対側の非搬送面であって，該駆動スプロケット６４の近傍で，かつ，該駆動スプロケット６４の斜め前下方に配置し，前記搬送チェーン６２の後下部が，後端から前下方へ延びるように緊張させ，
　前記第２搬送部５の後端下方に，該第２搬送部５の後端より落下する玉葱をコンテナ搬送部７へガイドする選別滑り台９０を配置し，該選別滑り台９０と第２搬送部５の玉葱搬送側の面との間にテンションローラーが位置するように配置されている，玉葱収穫機１。」（以下，「刊行物１記載の発明」という。）
　
（２）原査定の拒絶の理由に引用され，本願出願前に頒布された刊行物である特開２０００−２７９０１１号公報（以下，「刊行物２」という。）には，図面と共に，次の事項が記載されている（下線は，当審にて付与）。
（２ａ）「【０００１】
【発明の属する技術分野】本発明は、マルチ栽培により圃場に植生された収穫物を収穫する収穫機および収穫方法に関する。」
　
（２ｂ）「【００３０】そして、この掘起体22にて前記機体１の前進に伴い土中に存在する玉葱Ｔが掘り起こされ、この掘り起こされた玉葱Ｔは前記搬送コンベヤ23の搬送始端に供給される。
【００３１】この搬送コンベヤ23は、前記掘起体22にて掘り起こされこの掘起体22から送られてくる玉葱Ｔを前記収容部25に向けて搬送するものである。
【００３２】そして、
この搬送コンベヤ23は、従動回転体41を有し、この従動回転体41は前記掘起体22の後端縁部の近傍に位置して前記両側枠７間に橋架されている。また、この従動回転体41と離間対向して原動回転体42が前記両側枠７の後端部間に橋架され、これら原動回転体42および従動回転体41に搬送用無端体43が回行可能に取り付けられている。この搬送用無端体43は例えば複数のリンクロッド44にて構成され、
【００３３】前記収容部25は、前記搬送コンベヤ23の搬送終端部からシュート46を通って送られてくる玉葱Ｔを収容するコンテナ47を備えている。また、前記機体１の側枠７の後端部にはコンテナ台48が高さ位置調節可能に取り付けられ、このコンテナ台48に前記コンテナ47が着脱自在に載置される。なお、両側枠７の後端部には左右一対の支持輪50が高さ位置調節可能に取り付けれらている。」
　
３　対比
　本願発明と刊行物１記載の発明とを対比する。
　刊行物１記載の発明の「フレーム」は，本願発明「機体」に相当し，以下，同様に，「ピックアップ装置３」が「掻き込み部」に，
「玉葱搬送部」が「野菜搬送部」に，
「玉葱」が「野菜」に，
「玉葱収穫機１」が「野菜収穫機」に，
「第２搬送部５」が「搬送装置」に，
「選別滑り台９０」が「落下シュート」に，それぞれ，相当する。
　また，刊行物１記載の発明の「枠状の搬送体６３」と，本願発明の「搬送棒」とは「搬送部材」である点で共通し，刊行物１記載の発明において，「第２搬送部５の玉葱搬送側の面」と，本願発明の「野菜搬送面」とは，「野菜搬送側の面」である点で共通する。
　したがって，両者は，次の一致点及び相違点を有する。
　
＜一致点＞　 
「機体下部に配設するクローラ走行装置と，機体最前部に配設される掻き込み部と，該掻き込み部の後方に連設される野菜搬送部と，前記クローラ走行装置の後部上方に配設されるコンテナ搬送部と，操作部とを備えて，前記クローラ走行装置を駆動して機体を進行させながら野菜を収穫する自走式の野菜収穫機であって，
　前記野菜搬送部を構成する搬送装置は，左右の搬送チェーン間に搬送部材を横架して上面を「野菜搬送側の面」とし，該搬送チェーンを，前側の従動スプロケットと後側の駆動スプロケットの間に巻回して斜め上方に搬送駆動するように構成し，該前後の従動スプロケットと駆動スプロケットとの間に，該搬送チェーンを緊張するテンションローラーを配置し，該テンションローラーの位置は，前記搬送装置の野菜搬送側の面と反対側の非搬送面側であって，該駆動スプロケットの近傍で，かつ，該駆動スプロケットの斜め前下方に配置し，
　前記搬送装置の後端下方に，該搬送装置の後端より落下する野菜をコンテナ搬送部へガイドする落下シュートを配置した，野菜収穫機。」
　
＜相違点１＞
　本願発明は，「搬送部材」が「搬送棒」であり，「野菜搬送側の面」が「野菜搬送面」であるのに対し，刊行物１記載の発明は，「搬送部材」が「枠状の搬送体」であり，「野菜搬送側の面」は，直接野菜を搬送する「野菜搬送面」ではない点。
　
＜相違点２＞
　テンションローラーによって緊張される搬送チェーンの後下部が，本願発明では，後端から水平若しくは前上方へ延びるように緊張されているのに対して，刊行物１記載の発明では，後端から前下方に延びるように緊張されている点。
　
＜相違点３＞
　落下シュートの前上端が，本願発明は，前記搬送装置の後端より下ろした垂線よりも前方に位置し，該落下シュートの前端と野菜搬送面との間にテンションローラーが位置するように配置しているのに対して，刊行物１記載の発明は，落下シュートの前上端，前端の位置が不明な点。
　
４　判断
（１）相違点１について
　刊行物２には，収穫した玉葱等をコンテナまで搬送する搬送コンベアとして，左右の搬送チェーン間に複数のリンクロッド44（本願発明の「搬送棒」に相当する）を横架して上面を野菜搬送面とした搬送無帯体（同「搬送装置」に相当する。）が記載されており，刊行物１記載の発明において，搬送装置の傾斜が緩い場合に，野菜搬送部材を「枠状の搬送体」に代えて「搬送棒」とし，搬送装置の上面を「野菜搬送面」とすることは，刊行物２記載の発明に基づいて当業者が適宜なしうることである。
　
（２）相違点２について　
　本願発明は，明細書段落【０００７】に「テンションローラーにより無端体の張り調整ができるとともに、後側のスプロケットから下方へ回り込んだ無端体はテンションローラーにより前方へ張られることになり、無端体後部は従来よりも上方へ持ち上げられるようになる。」と記載されているように，テンションローラーにより搬送チェーンの後下部を緊張させて，上方へ持ち上げるものであり，どの方向に延びるように持ち上げるかは，通常状態での搬送チェーンの緩み具合，搬送装置全体の傾斜に応じて決めうることであって，特に「水平若しくは前上方へ延びるように」緊張させる点に，格別の技術的意義は認められない。
　一方，刊行物１記載の発明において，搬送チェーンを緊張させるテンションローラーの位置を変えることにより，搬送チェーンの緊張の程度，すなわち搬送チェーンの後下部の延びる方向を調整できることは自明である。
　そして，刊行物１記載の発明において，搬送装置の傾斜が緩い場合や，テンションローラーが駆動スプロケットのすぐ近くに配置されている場合に，搬送チェーンをテンションローラーにより緊張させて，搬送装置の後下部を後端から水平若しくは前上方へ延びるようにすることは，当業者であれば適宜なし得ることである。
　
（３）相違点３について　 
　刊行物１記載の発明は，落下シュート（選別滑り台９０）の前上端がどこに位置するか不明であるが，搬送装置（第２搬送部５）の後端から落下する野菜を確実に受け取ろうとするためには，落下シュートの前上端を，搬送装置の後端に近づけようとすることは当然考慮することである。
　そして，刊行物１記載の発明において，野菜搬送部材を「枠状の搬送体」に代えて「搬送棒」としたものにおいて，落下シュートの前上端を，搬送装置の後端に近づけ，搬送装置の後端より下ろした垂線よりも前方に位置させようとすることは，当業者であれば容易に想到し得ることである。
　また，刊行物１記載の発明においても，落下シュートと野菜搬送側の面との間にテンションローラーが位置しており，落下シュートの前端と野菜搬送面との間に位置するようにテンションローラーを配置することは当業者が適宜なしうることである。
　
（４）本願発明の作用効果について
　刊行物１記載の発明においても，テンションローラーにより搬送チェーンの張りが調整ができるものと認められ，本願発明の作用効果は，刊行物１及び２記載の発明から当業者が予測しうる程度のことである。
　
　したがって，本願発明は，刊行物１及び２記載の発明に基づいて当業者が容易に発明をすることができたものであるから，特許法第２９条第２項の規定により特許を受けることができない。
　
５　むすび
　以上のとおり，本願発明は，特許法第２９条第２項の規定により特許を受けることができないから，本願は，拒絶されるべきものである。
　よって，結論のとおり審決する。
　
＜付言＞
　請求人は，回答書において，補正案を提示している。
　上記補正案に係る発明は，本願発明に，次の特定事項（下線部参照）を付加したものである。
（ａ）「
該搬送装置（４０）は最前部の高さを調節可能とすべく、該駆動スプロケット（５１）の駆動軸（５０）を中心に、機体に対して上下回動可能に構成
（ｂ）「前記搬送装置（４０）の
下後方において、
機体側に固定して配置
（ｃ）「
側面視の上下位置において、
（ｄ）「
該駆動スプロケット（５１）の下部において、前記搬送チェーン（４３）を落下方向から逃げる方向へ回動させ、 前方へ延びる搬送チェーン（４３）と、前記駆動スプロケット（５１）と従動スプロケットの下側接線を結ぶ線との間の上側に、角度（α）を構成
（ｅ）「
該搬送チェーン（４３）と落下シュート（８５）の間に構成される三角形状の空間（Ａ）を構成し、該駆動スプロケット（５１）の下部と落下シュート（８５）の前部との間の距離（Ｂ）を、搬送棒（４４・４５）と落下シュート（８５）との間に収穫物が詰まることのない距離としたこと
　
　しかし，上記（ａ）〜（ｄ）の事項は，実質的に刊行物１に示されている（記載事項（１ｂ）〜（１ｄ）参照）。
　また，上記（ｅ）において「三角形状（Ａ）の空間」及び「距離（Ｂ）」は，前記「第２　２」に記載のとおり不明瞭であり，また，搬送装置と落下シュートの間に収穫物が詰めることがないようにすることは刊行物１に示されている（記載事項（１ｇ）参照。）
　したがって，上記補正案に係る発明も，特許を受けることができないものである。